(57)【要約】【課題】液晶表示部と保護部材とのクリアランスを可及的に小さくすることができ、かつ、液晶表示部の前面に配置された部材に描かれた画像と液晶表示部に表示される画像とを組み合わせて演出を行う場合に、見る角度による影響を小さくすることができるように配慮された遊技機を提供すること。【解決手段】筐体の前面に設けられた開口には、液晶表示部が設けられており、液晶表示部を少なくとも覆うように強化ガラス板が配置され、強化ガラス板は、装飾が施されていることを特徴とする遊技機。【選択図】図１
2009101020.tif 000002
【特許請求の範囲】
【請求項１】
筐体の前面に設けられた開口には、液晶表示部が設けられており、
前記液晶表示部を少なくとも覆うように強化ガラス板が配置され、
前記強化ガラス板は、装飾が施されていることを特徴とする遊技機。
【請求項２】
筐体の前面に設けられた開口には、液晶表示部が設けられており、
前記液晶表示部を少なくとも覆うように強化ガラス板が配置され、
前記強化ガラス板の前記液晶表示部側の面とは反対側に、前記強化ガラス板を覆うように透明樹脂板が配置され、
前記透明樹脂板は、装飾が施されていることを特徴とする遊技機。
【請求項３】
筐体の前面に設けられた開口には、液晶表示部が設けられており、
前記液晶表示部を少なくとも覆うように強化ガラス板が配置され、
前記強化ガラス板と前記液晶表示部との間に、前記液晶表示部を少なくとも覆うように透明樹脂板が配置され、
前記透明樹脂板は、装飾が施されていることを特徴とする遊技機。
【請求項４】
前記透明樹脂板がアクリル板であることを特徴とする請求項１〜３のいずれか１に記載の遊技機。
【発明の詳細な説明】
【技術分野】
【０００１】
本発明は、パチスロ遊技装置やスロットマシン等の遊技機に関する。
【背景技術】
【０００２】
従来から、液晶表示部を有するパチスロ遊技装置等の遊技機が存在する（例えば、特許文献１〜３）。これらの遊技機は、液晶表示部に画像等を表示することによって様々な演出を行っている。また、このような遊技機では、液晶表示部を保護するため、液晶表示部の前面にアクリル板が設けられている。このアクリル板に描かれた画像と液晶表示部に表示される画像とを組み合わせて演出を行う遊技機も存在する。
【０００３】
【特許文献１】特開２００６−４３２６８号公報
【特許文献２】特開２００７−５４４９４号公報
【特許文献３】特開２００６−３２０６３９号公報
【発明の開示】
【発明が解決しようとする課題】
【０００４】
しかしながら、アクリル板は、中心部に応力を加えると撓む性質を有しているため、液晶表示部とアクリル板との間に一定の距離（クリアランス）を設ける必要があった。そして、液晶表示部とアクリル板の間に距離を設けることにより、液晶表示部に表示される画像と、液晶表示部の前面に設置されたアクリル板に描かれた画像とを組み合わせて演出を行う場合には、見る角度による影響を受けやすいという問題があった。すなわち、見る角度によって、２つの画像が重なって見えてしまったり、一体となって表示されるべき画像が別個の画像となって見えてしまうことがあった。
【０００５】
本発明は、上述した課題に鑑みてなされたものであり、その目的は、液晶表示部と保護部材とのクリアランスを可及的に小さくすることができ、かつ、液晶表示部の前面に配置された部材に描かれた画像と液晶表示部に表示される画像とを組み合わせて演出を行う場合に、見る角度による影響を小さくすることができるように配慮された遊技機を提供することにある。
【課題を解決するための手段】
【０００６】
上述した課題を解決するために、本発明は、以下のようなものを提供する。
（１）  筐体の前面に設けられた開口には、液晶表示部が設けられており、
上記液晶表示部を少なくとも覆うように強化ガラス板が配置され、
上記強化ガラス板は、装飾が施されていることを特徴とする遊技機。
【０００７】
（１）の発明によれば、液晶表示部を覆うように強化ガラス板が配置されている。従って、強化ガラス板により、液晶表示部を保護することができる。さらに、強化ガラス板は、中心部に応力を加えても撓まないため、液晶表示部と強化ガラス板との間に一定の距離（クリアランス）を設ける必要がなく、クリアランスを可及的に小さくすることができる。
また、強化ガラス板は、装飾が施されている。そして、（１）の発明によれば、液晶表示部と強化ガラス板との間のクリアランスを可及的に小さくすることができるため、強化ガラス板に施された装飾と液晶表示部に表示される画像とを組み合わせて演出を行う場合に、見る角度による影響を小さくすることができる。そのため、強化ガラス板に施された装飾と液晶表示部に表示される画像とを、まるで一つの画像であるかのように、一体として違和感なく表現することができる。
【０００８】
さらに、本発明は、以下のようなものを提供する。
（２）  筐体の前面に設けられた開口には、液晶表示部が設けられており、
上記液晶表示部を少なくとも覆うように強化ガラス板が配置され、
上記強化ガラス板の上記液晶表示部側の面とは反対側に、上記強化ガラス板を覆うように透明樹脂板が配置され、
上記透明樹脂板は、装飾が施されていることを特徴とする遊技機。
【０００９】
（２）の発明によれば、液晶表示部を覆うように強化ガラス板が配置され、さらに、その強化ガラス板を覆うように、透明樹脂板が配置されている。従って、強化ガラス板により、液晶表示部を保護することができる。さらに、強化ガラス板は、中心部に応力を加えても撓まないため、液晶表示部と強化ガラス板との間に一定の距離（クリアランス）を設ける必要がなく、クリアランスを可及的に小さくすることができる。
また、強化ガラスは、割れる際に、粉々になるという特性がある。しかしながら、（２）の発明によれば、強化ガラス板を覆うように、透明樹脂板が配置されているため、強化ガラス板が割れた場合であっても、遊技者の怪我を防止することができる。
また、透明樹脂板は、装飾が施されている。そして、（２）の発明によれば、液晶表示部と強化ガラス板との間のクリアランスを可及的に小さくすることができるため、液晶表示部と透明樹脂板との距離も小さくすることができる。そのため、透明樹脂板に施された装飾と液晶表示部に表示される画像とを組み合わせて演出を行う場合に、見る角度による影響を小さくすることができる。そのため、透明樹脂板に施された装飾と液晶表示部に表示される画像とを、まるで一つの画像であるかのように、一体として違和感なく表現することができる。
また、一般的に加工が容易な透明樹脂板に装飾を施すことにより、強化ガラス板に装飾を施す場合に比べて、製造コストを抑えることができる。
【００１０】
さらに、本発明は、以下のようなものを提供する。
（３）  筐体の前面に設けられた開口には、液晶表示部が設けられており、
上記液晶表示部を少なくとも覆うように強化ガラス板が配置され、
上記強化ガラス板と上記液晶表示部との間に、上記液晶表示部を少なくとも覆うように透明樹脂板が配置され、
上記透明樹脂板は、装飾が施されていることを特徴とする遊技機。
【００１１】
（３）の発明によれば、液晶表示部を覆うように強化ガラス板が配置され、さらに、強化ガラス板と液晶表示部との間に、液晶表示部を覆うように透明樹脂板が配置されている。透明樹脂板の外側に、強化ガラス板が配置されているため、透明樹脂板に、応力が加えられることを防止することができる。そのため、液晶表示部と透明樹脂板との間に一定の距離（クリアランス）を設ける必要がなくなり、クリアランスを可及的に小さくすることができる。
また、液晶表示部と強化ガラス板との間に透明樹脂板を配置しているため、強化ガラス板が割れた場合であっても、液晶表示部の損傷を防止することができる。
また、透明樹脂板は、装飾が施されている。そして、（３）の発明によれば、液晶表示部と透明樹脂板との間のクリアランスを可及的に小さくすることができるため、透明樹脂板に施された装飾と液晶表示部に表示される画像とを組み合わせて演出を行う場合に、見る角度による影響を小さくすることができる。そのため、透明樹脂板に施された装飾と液晶表示部に表示される画像とを、まるで一つの画像であるかのように、一体として違和感なく表現することができる。
また、一般的に加工が容易な透明樹脂板に装飾を施すことにより、強化ガラス板に装飾を施す場合に比べて、製造コストを抑えることができる。
【００１２】
さらに、本発明は、以下のようなものを提供する。
（４）  上記（１）〜（３）のいずれか１の遊技機であって、
上記透明樹脂板がアクリル板であることを特徴とする。
【００１３】
（４）の発明によれば、透明樹脂板は、アクリル板である。アクリル板は、光線透過率が非常に高いため、液晶表示部に表示される画像の画質を下げることなく、遊技者に見せることができる。
【発明の効果】
【００１４】
本発明によれば、液晶表示部と保護部材とのクリアランスを可及的に小さくすることができ、かつ、液晶表示部の前面に配置された部材に描かれた画像と液晶表示部に表示される画像とを組み合わせて演出を行う場合に、見る角度による影響を小さくすることができるように配慮された遊技機を提供することができる。
【発明を実施するための最良の形態】
【００１５】
［第１実施形態］
本発明の実施形態について図面に基づいて説明する。以下においては、本発明の好適な実施形態として、本発明をパチスロ遊技装置に適用した場合について説明することとする。
【００１６】
図１は、本発明に係るパチスロ遊技装置の一例を模式的に示す斜視図である。
このパチスロ遊技装置１は、コイン、メダル又はトークン等の他、遊技者に付与されたか、若しくは、付与される遊技価値の情報を記憶したカード等の遊技媒体を用いて遊技を行うことが可能な遊技機であるが、以下においては、メダルを用いるものとして説明することとする。
【００１７】
パチスロ遊技装置１の全体を形成している筐体２の正面には、液晶表示装置５が設置されており、遊技に関する画像を表示することができる。
【００１８】
液晶表示装置５の下方には、水平面を有する台座部１０が形成されており、台座部１０の中央には、その内部に３個の回転リール３Ｌ、３Ｃ、３Ｒが設けられたリール装置１９が設けられている。３個の回転リール３Ｌ、３Ｃ、３Ｒは、それぞれその外周面に複数の図柄等の識別情報が表示されており、回転可能に横一列に設けられている。
【００１９】
また、台座部１０の右側には、メダル投入口２２が設けられ、台座部１０の左側には、１−ＢＥＴスイッチ１１及び最大ＢＥＴスイッチ１３が設けられている。
【００２０】
台座部１０の前面部の左寄りには、遊技者が遊技で獲得したメダルのクレジット／払い出しを押し操作により切り替える貯留メダル精算スイッチ１４が設けられている。
この貯留メダル精算スイッチ１４の切り替えにより「払い出し」が選択された場合には、正面下部のメダル払出口１５からメダルが払い出され、払い出されたメダルはメダル受部１６に溜められる。一方、「クレジット」が選択された場合には、パチスロ遊技装置１が備えるメモリ（例えば、後述するＲＡＭ４３等）にメダル数がクレジットとして記憶される。
【００２１】
貯留メダル精算スイッチ１４の右側には、遊技者の操作により回転リール３Ｌ、３Ｃ、３Ｒを回転させるためのスタートレバー６が取り付けられている。スタートレバー６は、遊技者の操作によって、回転リール３Ｌ、３Ｃ、３Ｒを回転させることができる。台座部１０の前面部中央には、３個の回転リール３Ｌ、３Ｃ、３Ｒの回転をそれぞれ停止させるための３個の停止ボタン７Ｌ、７Ｃ、７Ｒが設けられている。
【００２２】
台座部１０の前面部の右寄りには、ドア開閉及び打ち止め解除装置２９が設けられており、所定の鍵をこのドア開閉及び打ち止め解除装置２９の鍵穴に差し込み、右に回すことにより前面ドアの開閉を行い、左に回すことにより打ち止め解除を行う。
【００２３】
リール装置１９の左側には、決定ボタン２６及び取消ボタン２７が設けられている。この決定ボタン２６及び取消ボタン２７を操作することにより、液晶表示装置５の表示画面の切替に関する指示等の入力を行うことができる。
【００２４】
台座部１０の下側には、腰部パネル２５が設けられている。腰部パネル２５には、透明なアクリル板が用いられており、腰部パネル２５の裏面には、シルクスクリーン印刷やオフセット印刷等によって、パチスロ遊技装置１の名称やキャラクタ等が描かれている。
【００２５】
筐体２の上方の左右には、スピーカー２１Ｌ、２１Ｒが設けられ、その２台のスピーカー２１Ｌ、２１Ｒの間には、入賞図柄の組合せ及びメダルの配当枚数等を示す配当表パネル２３が設けられている。
【００２６】
液晶表示装置５の左右には、装飾ランプ９ａ、液晶表示装置５の下側左右には、装飾ランプ９ｂが設けられている。また、反響板８０の左右には、装飾ランプ９ｃ、反響板８０の上側左右には、装飾ランプ９ｄが設けられている。これらの装飾ランプ９（装飾ランプ９ａ、装飾ランプ９ｂ、装飾ランプ９ｃ、及び、装飾ランプ９ｄ）は、遊技の進行に応じて、所定の色を有する光を発することができる。
【００２７】
図２は、図１に示したパチスロ遊技装置が備える液晶表示装置近傍を示す拡大正面図である。
図２に示すように、液晶表示装置５の左下には、クレジット数画像１８が表示されており、右上には、トータルメダル数画像１９が表示されており、右下には、払出数画像２０が表示されている。これらの画像は、後述する透明液晶パネル３４に表示されている（図３参照）。また、液晶表示装置５の左右両側には、花火絵柄３１（花火絵柄３１ａ、花火絵柄３１ｂ）が描かれている。花火絵柄３１は、後述する強化ガラス板３２に描かれている（図３参照）。クレジット数画像１８は、貯留されているメダルの枚数を表示するものであり、トータルメダル数画像１９は、これまでに払い出されたメダルの枚数を表示するものであり、払出数画像２０は、入賞成立時のメダルの払出枚数を表示するものである。
なお、図示しないが、液晶表示装置５には、その他、遊技の進行に応じた演出画像が表示される。
花火絵柄３１は、本発明の装飾に相当するものである。
【００２８】
図３は、図２に示した液晶表示装置の一部の構成を示す展開図である。
液晶表示装置５の最前面に設けられている強化ガラス板３２は、その背面に設けられている透明液晶パネル３４と密着するように設置されている。透明液晶パネル３４の背面には、導光板３５が設けられ、導光板３５の上端部及び下端部に沿って、所謂白色光源である蛍光ランプ３７ａ、３７ｂがランプホルダ３９（図示せず）により支持されて設けられている。さらに、導光板３５の背面には、反射フィルム３６が設けられている。また、透明液晶パネル駆動用のＩＣを搭載したテーブルキャリアパッケージ（ＴＣＰ）が設けられており（図示せず）、ＴＣＰは、透明液晶パネル３４の端子部に接続したフレキシブル基板（図示せず）等により構成される。この液晶表示装置５は、パチスロ遊技装置１の全体を形成している筐体２の正面に設けられている。
強化ガラス板３２と、その背面に設けられている透明液晶パネル３４は、密着するように設置されているため、強化ガラス板３２と透明液晶パネル３４との間にクリアランスはない。
透明液晶パネル３４は、本発明の液晶表示部に相当するものである。また、透明液晶パネル３４は、強化ガラス板３２よりも大きさが小さい。
【００２９】
強化ガラス板３２は、透明な部材で構成されている。また、強化ガラス板３２の透明液晶パネル３４側の面には、花火絵柄３１（花火絵柄３１ａ、花火絵柄３１ｂ）が描かれている。この花火絵柄３１は、透光性を有する塗料で描かれているため、透明液晶パネル３４に表示される演出画像と一体となって遊技者により視認される。
【００３０】
強化ガラスとは、ガラス表面と内部との応力バランスをとることにより、通常のガラス（フロート板ガラス）よりも大きな応力に耐えられるように加工したガラスである。強化ガラスは、イオン交換法や風冷強化法により製造され、通常のガラス（フロート板ガラス）と比較して、３〜５倍の強度を有する。そのため、強化ガラス板３２は、中心部に応力を加えても撓まない性質を有する。
また、強化ガラスは、その表面が圧縮によって強化されているため、強化されていないガラスと比較して破壊に至るまでの力は大きくなるが、内部には逆に引張りの力が存在するため、割れが進行するとガラス全体が瞬間的に破砕する。そのため、強化ガラスが割れる際には、粉々に割れるという性質を有する。
【００３１】
透明液晶パネル３４は、薄膜トランジスタ層が形成されたガラス板等の透明な基板と、これに対向する透明な基板との間隙部に液晶が封入されて形成されている。
この透明液晶パネル３４の表示モードは、ノーマリーブラックに設定されている。ノーマリーブラックとは、液晶を駆動していない状態で黒表示（透過した光が外部より視認できない）となる構成である。
【００３２】
導光板３５は、蛍光ランプ３７ａ、３７ｂからの光を透明液晶パネル３４へ導き出す（透明液晶パネル３４を照明する）ためのものであり、透明液晶パネル３４の裏側に設けられている。導光板３５は、例えば、２ｃｍ程度の厚さを有するアクリル系樹脂等の透明部材（導光機能を有する）で構成されている。
【００３３】
反射フィルム３６は、導光板３５により導入された光を導光板３５の正面側へ向けて反射させる。反射フィルム３６として、例えば、白色のポリエステルフィルムやアルミ薄膜に銀蒸着膜を形成したものが用いられる。
【００３４】
蛍光ランプ３７ａ、３７ｂは、導光板３５の上端部及び下端部に沿って配置され、両端はランプホルダ３９（図示せず）により支持されている。この蛍光ランプ３７ａ、３７ｂから照射される光は、反射フィルム３６で反射して透明液晶パネル３４を照明する。
【００３５】
以上、第１実施形態に係るパチスロ遊技装置１によれば、強化ガラス板３２には、透光性を有する塗料で花火絵柄３１（花火絵柄３１ａ、花火絵柄３１ｂ）が描かれている。さらに、強化ガラス板３２は、透明な部材で構成されているため、強化ガラス板３２の背面に設置されている透明液晶パネル３４に表示される演出画像と強化ガラス板３２に描かれた花火絵柄３１とが一体となって遊技者に視認されることとなる。そのため、静止画像のみや透明液晶パネル３４に表示される演出画像のみの演出とは異なり、静止画像と透明液晶パネル３４に表示される演出画像とが一体となった演出を行うことができる。
また、強化ガラス板３２は、中心部に応力を加えても撓まないため、透明液晶パネル３４と強化ガラス板３２との間に一定の距離（クリアランス）を設ける必要がなく、透明液晶パネル３４と強化ガラス板３２を密着させて設置することができる。そのため、強化ガラス板３２に施された花火絵柄３１と透明液晶パネル３４に表示される演出画像とを組み合わせて演出を行う場合に、見る角度による影響を小さくすることができる。すなわち、強化ガラス板３２に施された花火絵柄３１と透明液晶パネル３４に表示される演出画像とを、まるで一つの画像であるかのように、一体として違和感なく表現することができる。
【００３６】
第１実施形態では、強化ガラス板３２に施されている装飾として、花火絵柄３１（花火絵柄３１ａ、花火絵柄３１ｂ）が描かれている場合について説明したが、本発明では、強化ガラス板に施されている装飾としては、特に限定されず、任意の画像や文字を描くこととしてもよく、強化ガラス板に色彩のみを付すこととしてもよい。また、強化ガラス板に装飾が施されたシールを張り付けることとしてもよい。
【００３７】
第１実施形態では、強化ガラス板３２の透明液晶パネル３４側の面に花火絵柄３１が描かれている場合について説明したが、本発明では、強化ガラス板の液晶表示部側と反対の面に装飾が施されていてもよい。
【００３８】
第１実施形態では、花火絵柄３１（花火絵柄３１ａ、花火絵柄３１ｂ）が、透光性を有する塗料で描かれている場合について説明したが、本発明では、花火絵柄が透光性の無い塗料で描かれていてもよい。このような構成とした場合には、液晶表示部のうち、強化ガラス板に描かれた画像の背面部分は、遊技者からは視認できなくなる。そのため、強化ガラス板に描かれた画像の後ろから画像が飛び出す演出や遊技者に見たいと思わせる画像を強化ガラス板に描かれた画像により隠して遊技者の期待感を煽る演出が可能となる。
【００３９】
第１実施形態では、透明液晶パネル３４よりも強化ガラス板３２の方が大きい場合について説明したが、本発明では、強化ガラス板は、液晶表示部を覆うことができればよく、強化ガラス板と液晶表示部の大きさが同一であってもよい。
【００４０】
第１実施形態では、強化ガラス板３２と、その背面に設けられている透明液晶パネル３４が密着するように設置されている場合について説明したが、本発明では、強化ガラス板と液晶表示部との間に間隙があってもよい。
【００４１】
［第２実施形態］
第２実施形態に係るパチスロ遊技装置は、液晶表示装置の構成以外は、第１実施形態に係るパチスロ遊技装置と略同様の外観及び回路構成等を有するため、第１実施形態に係るパチスロ遊技装置と同様の部分に関しては、その説明を省略するものとする。また、第１実施形態に係るパチスロ遊技装置と対応する構成要素には同一の符号を付して説明することとする。
【００４２】
図４は、第２実施形態に係る液晶表示装置の一部の構成を示す展開図である。
液晶表示装置５の最前面に設けられているアクリル板４３は、その背面に設けられている強化ガラス板４２と密着するように設置されている。強化ガラス板４２は、その背面に設けられている透明液晶パネル３４と密着するように設置されている。透明液晶パネル３４の背面には、導光板３５が設けられ、導光板３５の上端部及び下端部に沿って、所謂白色光源である蛍光ランプ３７ａ、３７ｂがランプホルダ３９（図示せず）により支持されて設けられている。さらに、導光板３５の背面には、反射フィルム３６が設けられている。また、透明液晶パネル駆動用のＩＣを搭載したテーブルキャリアパッケージ（ＴＣＰ）が設けられており（図示せず）、ＴＣＰは、透明液晶パネル３４の端子部に接続したフレキシブル基板（図示せず）等により構成される。この液晶表示装置５は、パチスロ遊技装置１の全体を形成している筐体２の正面に設けられている。
アクリル板４３と、その背面に設けられている強化ガラス板４２は、密着するように設置されているため、アクリル板４３と強化ガラス板４２との間にクリアランスはない。また、アクリル板４３は、強化ガラス板４２と大きさが同一である。
強化ガラス板４２と、その背面に設けられている透明液晶パネル３４は、密着するように設置されているため、強化ガラス板４２と透明液晶パネル３４との間にクリアランスはない。また、透明液晶パネル３４は、強化ガラス板４２よりも大きさが小さい。
透明液晶パネル３４は、本発明の液晶表示部に相当するものである。
アクリル板４３は、本発明の透明樹脂板に相当するものである。
【００４３】
アクリル板４３及び強化ガラス板４２は、透明な部材で構成されている。また、アクリル板４３の強化ガラス板４２側の面には、花火絵柄４１（花火絵柄４１ａ、花火絵柄４１ｂ）が描かれている。この花火絵柄４１は、透光性を有する塗料で描かれているため、透明液晶パネル３４に表示される演出画像と一体となって遊技者により視認される。
強化ガラス板４２は、第１実施形態で説明したように、中心部に応力を加えても撓まない性質、及び、割れる際には、粉々に割れるという性質を有する。
【００４４】
透明液晶パネル３４は、薄膜トランジスタ層が形成されたガラス板等の透明な基板と、これに対向する透明な基板との間隙部に液晶が封入されて形成されている。
この透明液晶パネル３４の表示モードは、ノーマリーブラックに設定されている。
【００４５】
導光板３５は、蛍光ランプ３７ａ、３７ｂからの光を透明液晶パネル３４へ導き出す（透明液晶パネル３４を照明する）ためのものであり、透明液晶パネル３４の裏側に設けられている。導光板３５は、例えば、２ｃｍ程度の厚さを有するアクリル系樹脂等の透明部材（導光機能を有する）で構成されている。
【００４６】
反射フィルム３６は、導光板３５により導入された光を導光板３５の正面側へ向けて反射させる。反射フィルム３６として、例えば、白色のポリエステルフィルムやアルミ薄膜に銀蒸着膜を形成したものが用いられる。
【００４７】
蛍光ランプ３７ａ、３７ｂは、導光板３５の上端部及び下端部に沿って配置され、両端はランプホルダ３９（図示せず）により支持されている。この蛍光ランプ３７ａ、３７ｂから照射される光は、反射フィルム３６で反射して透明液晶パネル３４を照明する。
【００４８】
以上、第２実施形態に係るパチスロ遊技装置１によれば、アクリル板４３には、透光性を有する塗料で花火絵柄４１（花火絵柄４１ａ、花火絵柄４１ｂ）が描かれている。さらに、アクリル板４３及びその背面に設置されている強化ガラス板４２は、透明な部材で構成されているため、強化ガラス板４２の背面に設置されている透明液晶パネル３４に表示される演出画像とアクリル板４３に描かれた花火絵柄４１とが一体となって遊技者に視認されることとなる。そのため、静止画像のみや透明液晶パネル３４に表示される演出画像のみの演出とは異なり、静止画像と透明液晶パネル３４に表示される演出画像とが一体となった演出を行うことができる。
また、強化ガラス板４２は、中心部に応力を加えても撓まないため、透明液晶パネル３４と強化ガラス板４２との間に一定の距離（クリアランス）を設ける必要がなく透明液晶パネル３４と強化ガラス板４２を密着させて設置することができる。さらに、アクリル板４３と強化ガラス板４２とを密着させて設置することにより、透明液晶パネル３４とアクリル板４３との距離も小さくすることができる。そのため、アクリル板４３に施された花火絵柄４１と透明液晶パネル３４に表示される演出画像とを組み合わせて演出を行う場合に、見る角度による影響を小さくすることができる。すなわち、アクリル板４３に施された花火絵柄４１と透明液晶パネル３４に表示される演出画像とを、まるで一つの画像であるかのように、一体として違和感なく表現することができる。
また、透明液晶パネル３４を覆うように強化ガラス板４２が配置され、さらに、その強化ガラス板４２を覆うように、アクリル板４３が配置されている。強化ガラス４２は、割れる際に、粉々になるという特性があるが、第２実施形態に係るパチスロ遊技装置１によれば、強化ガラス板４２を覆うように、アクリル板４３が配置されているため、強化ガラス板４２が割れた場合であっても、遊技者の怪我を防止することができる。
また、一般的に加工が容易なアクリル板４３に装飾を施すことにより、強化ガラス板４２に装飾を施す場合に比べて、製造コストを抑えることができる。
【００４９】
第２実施形態では、アクリル板４３に施されている装飾として、花火絵柄４１（花火絵柄４１ａ、花火絵柄４１ｂ）が描かれている場合について説明したが、本発明では、透明樹脂板に施されている装飾としては、特に限定されず、任意の画像や文字を描くこととしてもよく、透明樹脂板に色彩のみを付すこととしてもよい。また、透明樹脂板に装飾が施されたシールを張り付けることとしてもよい。
【００５０】
第２実施形態では、アクリル板４３の強化ガラス板４２側の面に花火絵柄４１が描かれている場合について説明したが、本発明では、透明樹脂板の強化ガラス板側と反対の面に装飾が施されていてもよい。
【００５１】
第２実施形態では、花火絵柄４１（花火絵柄４１ａ、花火絵柄４１ｂ）が、透光性を有する塗料で描かれている場合について説明したが、本発明では、花火絵柄が透光性の無い塗料で描かれていてもよい。このような構成とした場合には、液晶表示部のうち、透明樹脂板に描かれた画像の背面部分は、遊技者からは視認できなくなる。そのため、透明樹脂板に描かれた画像の後ろから画像が飛び出す演出や遊技者に見たいと思わせる画像を透明樹脂板に描かれた画像により隠して遊技者の期待感を煽る演出が可能となる。
【００５２】
第２実施形態では、透明液晶パネル３４よりも強化ガラス板４２の方が大きい場合について説明したが、本発明では、強化ガラス板は、液晶表示部を覆うことができればよく、強化ガラス板と液晶表示部の大きさが同一であってもよい。
【００５３】
第２実施形態では、アクリル板４３と強化ガラス板４２の大きさが同一である場合について説明したが、本発明では、アクリル板は、強化ガラス板を覆うことができればよく、強化ガラス板より大きくてもよい。
【００５４】
第２実施形態では、アクリル板４３と、その背面に設けられている強化ガラス板４２が密着するように設置されている場合について説明したが、本発明では、透明樹脂板と強化ガラス板との間に間隙があってもよい。
【００５５】
第２実施形態では、強化ガラス板４２と、その背面に設けられている透明液晶パネル３４が密着するように設置されている場合について説明したが、本発明では、強化ガラス板と液晶表示部との間に間隙があってもよい。
【００５６】
第２実施形態では、透明樹脂板がアクリル板４３である場合について説明したが、本発明では、透明樹脂板として、ポリスチレン樹脂製やＡＢＳ樹脂製等の透明樹脂板を採用してもよい。
【００５７】
［第３実施形態］
第３実施形態に係るパチスロ遊技装置は、液晶表示装置の構成以外は、第１実施形態及び第２実施形態に係るパチスロ遊技装置と略同様の外観及び回路構成等を有するため、第１実施形態及び第２実施形態に係るパチスロ遊技装置と同様の部分に関しては、その説明を省略するものとする。また、第１実施形態及び第２実施形態に係るパチスロ遊技装置と対応する構成要素には同一の符号を付して説明することとする。
【００５８】
図５は、第３実施形態に係る液晶表示装置の一部の構成を示す展開図である。
液晶表示装置５の最前面に設けられている強化ガラス板５２は、その背面に設けられているアクリル板５３と密着するように設置されている。アクリル板５３は、その背面に設けられている透明液晶パネル３４と密着するように設置されている。透明液晶パネル３４の背面には、導光板３５が設けられ、導光板３５の上端部及び下端部に沿って、所謂白色光源である蛍光ランプ３７ａ、３７ｂがランプホルダ３９（図示せず）により支持されて設けられている。さらに、導光板３５の背面には、反射フィルム３６が設けられている。また、透明液晶パネル駆動用のＩＣを搭載したテーブルキャリアパッケージ（ＴＣＰ）が設けられており（図示せず）、ＴＣＰは、透明液晶パネル３４の端子部に接続したフレキシブル基板（図示せず）等により構成される。この液晶表示装置５は、パチスロ遊技装置１の全体を形成している筐体２の正面に設けられている。
強化ガラス板５２と、その背面に設けられているアクリル板５３は、密着するように設置されているため、強化ガラス板５２とアクリル板５３との間にクリアランスはない。また、強化ガラス板５２は、アクリル板５３と大きさが同一である。
アクリル板５３と、その背面に設けられている透明液晶パネル３４は、密着するように設置されているため、アクリル板５３と透明液晶パネル３４との間にクリアランスはない。また、透明液晶パネル３４は、アクリル板５３よりも大きさが小さい。
透明液晶パネル３４は、本発明の液晶表示部に相当するものである。
アクリル板５３は、本発明の透明樹脂板に相当するものである。
【００５９】
強化ガラス板５２及びアクリル板５３は、透明な部材で構成されている。また、アクリル板５３の透明液晶パネル３４側の面には、花火絵柄５１（花火絵柄５１ａ、花火絵柄５１ｂ）が描かれている。この花火絵柄５１は、透光性を有する塗料で描かれているため、透明液晶パネル３４に表示される演出画像と一体となって遊技者により視認される。
強化ガラス板５２は、第１実施形態で説明したように、中心部に応力を加えても撓まない性質、及び、割れる際には、粉々に割れるという性質を有する。
【００６０】
透明液晶パネル３４は、薄膜トランジスタ層が形成されたガラス板等の透明な基板と、これに対向する透明な基板との間隙部に液晶が封入されて形成されている。
この透明液晶パネル３４の表示モードは、ノーマリーブラックに設定されている。
【００６１】
導光板３５は、蛍光ランプ３７ａ、３７ｂからの光を透明液晶パネル３４へ導き出す（透明液晶パネル３４を照明する）ためのものであり、透明液晶パネル３４の裏側に設けられている。導光板３５は、例えば、２ｃｍ程度の厚さを有するアクリル系樹脂等の透明部材（導光機能を有する）で構成されている。
【００６２】
反射フィルム３６は、導光板３５により導入された光を導光板３５の正面側へ向けて反射させる。反射フィルム３６として、例えば、白色のポリエステルフィルムやアルミ薄膜に銀蒸着膜を形成したものが用いられる。
【００６３】
蛍光ランプ３７ａ、３７ｂは、導光板３５の上端部及び下端部に沿って配置され、両端はランプホルダ３９（図示せず）により支持されている。この蛍光ランプ３７ａ、３７ｂから照射される光は、反射フィルム３６で反射して透明液晶パネル３４を照明する。
【００６４】
以上、第３実施形態に係るパチスロ遊技装置１によれば、アクリル板５３には、透光性を有する塗料で花火絵柄５１（花火絵柄５１ａ、花火絵柄５１ｂ）が描かれている。さらに、アクリル板５３及びその前面に設置されている強化ガラス板５２は、透明な部材で構成されているため、アクリル板５３の背面に設置されている透明液晶パネル３４に表示される演出画像とアクリル板５３に描かれた花火絵柄５１とが一体となって遊技者に視認されることとなる。そのため、静止画像のみや透明液晶パネル３４に表示される演出画像のみの演出とは異なり、静止画像と透明液晶パネル３４に表示される演出画像とが一体となった演出を行うことができる。
また、アクリル板５３の外側に、中心部に応力を加えても撓まない強化ガラス板５２が配置されているため、アクリル板５３に、応力が加えられることを防止することができる。そのため、透明液晶パネル３４とアクリル板５３との間に一定の距離（クリアランス）を設ける必要がなくなり、透明液晶パネル３４とアクリル板５３を密着させて設置することができる。そのため、アクリル板５３に施された花火絵柄５１と透明液晶パネル３４に表示される演出画像とを組み合わせて演出を行う場合に、見る角度による影響を小さくすることができる。すなわち、アクリル板５３に施された花火絵柄５１と透明液晶パネル３４に表示される演出画像とを、まるで一つの画像であるかのように、一体として違和感なく表現することができる。
また、透明液晶パネル３４を覆うように強化ガラス板５２が配置され、さらに、強化ガラス板５２と透明液晶パネル３４との間に、透明液晶パネル３４を覆うようにアクリル板５３が配置されている。そのため、強化ガラス板が割れた場合であっても、透明液晶パネル３４の損傷を防止することができる。
また、一般的に加工が容易なアクリル板５３に装飾を施すことにより、強化ガラス板５２に装飾を施す場合に比べて、製造コストを抑えることができる。
【００６５】
第３実施形態では、アクリル板５３に施されている装飾として、花火絵柄５１（花火絵柄５１ａ、花火絵柄５１ｂ）が描かれている場合について説明したが、本発明では、透明樹脂板に施されている装飾としては、特に限定されず、任意の画像や文字を描くこととしてもよく、透明樹脂板に色彩のみを付すこととしてもよい。また、透明樹脂板に装飾が施されたシールを張り付けることとしてもよい。
【００６６】
第３実施形態では、アクリル板５３の透明液晶パネル３４側の面に花火絵柄５１が描かれている場合について説明したが、本発明では、透明樹脂板の液晶表示部側と反対の面に装飾が施されていてもよい。
【００６７】
第３実施形態では、花火絵柄５１（花火絵柄５１ａ、花火絵柄５１ｂ）が、透光性を有する塗料で描かれている場合について説明したが、本発明では、花火絵柄が透光性の無い塗料で描かれていてもよい。このような構成とした場合には、液晶表示部のうち、透明樹脂板に描かれた画像の背面部分は、遊技者からは視認できなくなる。そのため、透明樹脂板に描かれた画像の後ろから画像が飛び出す演出や遊技者に見たいと思わせる画像を透明樹脂板に描かれた画像により隠して遊技者の期待感を煽る演出が可能となる。
【００６８】
第３実施形態では、透明液晶パネル３４よりも強化ガラス板５２の方が大きい場合について説明したが、本発明では、強化ガラス板は、液晶表示部を覆うことができればよく、強化ガラス板と液晶表示部の大きさが同一であってもよい。なお、アクリル板へ応力がかかることを防止するため、強化ガラス板は、少なくともアクリル板と同じ大きさ以上であることが望ましい。
【００６９】
第３実施形態では、アクリル板５３と強化ガラス板５２の大きさが同一である場合について説明したが、本発明では、アクリル板は、液晶表示部を覆うことができればよく、強化ガラス板と大きさが異なっていてもよい。なお、アクリル板へ応力がかかることを防止するため、アクリル板は、少なくとも強化ガラス板と同じ大きさ以下であることが望ましい。
【００７０】
第３実施形態では、強化ガラス板５２と、その背面に設けられているアクリル板５３が密着するように設置されている場合について説明したが、本発明では、強化ガラス板と透明樹脂板との間に間隙があってもよい。
【００７１】
第３実施形態では、アクリル板５３と、その背面に設けられている透明液晶パネル３４が密着するように設置されている場合について説明したが、本発明では、透明樹脂板と液晶表示部との間に間隙があってもよい。
【００７２】
第３実施形態では、透明樹脂板がアクリル板５３である場合について説明したが、本発明では、透明樹脂板として、ポリスチレン樹脂製やＡＢＳ樹脂製等の透明樹脂板を採用してもよい。
【００７３】
本実施形態においては、本発明をパチスロ遊技装置に適用した場合について説明したが、本発明を他の遊技機（例えば、パチンコ遊技装置、スロットマシン等）に適用することも可能である。
【００７４】
以上、本発明の実施形態を説明したが、具体例を例示したに過ぎず、特に本発明を限定するものではなく、各手段等の具体的構成は、適宜設計変更可能である。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【００７５】
【図１】本発明に係るパチスロ遊技装置の一例を模式的に示す斜視図である。
【図２】図１に示したパチスロ遊技装置が備える液晶表示装置近傍を示す拡大正面図である。
【図３】図２に示した液晶表示装置の一部の構成を示す展開図である。
【図４】第２実施形態に係る液晶表示装置の一部の構成を示す展開図である。
【図５】第３実施形態に係る液晶表示装置の一部の構成を示す展開図である。
【符号の説明】
【００７６】
１  パチスロ遊技装置
２  筐体
３（３Ｌ、３Ｃ、３Ｒ）  回転リール
５  液晶表示装置
２１（２１Ｌ、２１Ｒ）  スピーカー
３１（３１ａ、３１ｂ）  花火絵柄
３２  強化ガラス板
３４  透明液晶パネル
３５  導光板
３６  反射フィルム
３７（３７ａ、３７ｂ）  蛍光ランプ
４１（４１ａ、４１ｂ）  花火絵柄
４２  強化ガラス板
４３  アクリル板
５１（５１ａ、５１ｂ）  花火絵柄
５２  強化ガラス板
５３  アクリル板
【図１】
2009101020.tif 000003
【図２】
2009101020.tif 000004
【図３】
2009101020.tif 000005
【図４】
2009101020.tif 000006
【図５】
2009101020.tif 000007